(57)【要約】      （修正有）【課題】位置決定を実行するための方法および装置を提供する。【解決手段】ネットワークは、利用者装置（ＵＥ）にＵＥの位置決定を実施するために指示（例えば、許可のための要求）および、位置決定に関連する動作のためのプレセッション命令をＵＥに選択的に送る。例えば、命令はＵＥに、（１）位置決定を実行することに先立ちＵＥにある所在地関連データの全て或いはその一部を消去すること、（２）ＵＥに対する位置推定値を返送すること、或いは（３）位置決定を実行する際に時間オフセット及び／又は位置オフセットを適用すること、を命令することが出来る。ＵＥはネットワークに位置決定を実行するための受領通知（例えば、許諾承諾）を送る。ＵＥは、しかも位置決定を実行することに先立ち或いはその実行と連係して、ネットワークから受信される命令によって指示される処理を実行する。ネットワークとＵＥは、ＵＥのための位置決定を実行する。【選択図】図２
2011024240.tif 000002
【特許請求の範囲】
【請求項１】
ネットワークにおいて位置決定を実行する方法であって、
利用者装置（ＵＥ）の位置決定を実行するための指示を前記ネットワークから受信することと；
前記位置決定を実行するための受領通知を前記ネットワークに送ることと；
もし前記ネットワークから受信された命令によって指示されるならば、前記ＵＥにある所在地関連データの全て或いはその一部を消去することと；及び
前記ＵＥの位置決定を実行することと；
を具備する方法。
【請求項２】
前記ＵＥにある前記所在地関連データの全て或いはその一部を消去することは、
前記ネットワークから受信される前記命令と関連付けられる少なくとも１つのタイプの所在地関連データを識別することと、なお、前記受信される命令は複数の消去命令の中から選択され、それぞれの消去命令は前記ＵＥにある少なくとも１つのタイプの所在地関連データの異なる集合に対応する；及び
前記受信された命令と関連付けられる前記ＵＥにある少なくとも１つのタイプの所在地関連データを消去することと；
を具備する、請求項１の方法。
【請求項３】
前記ＵＥにある前記所在地関連データの全て或いはその一部を消去することは、
前記位置決定を実行することに先立ち前記ＵＥにある少なくとも１つのタイプの全地球測位衛星（ＧＰＳ）支援データを消去することを具備する、請求項１の方法。
【請求項４】
前記ＵＥにある前記所在地関連データの全て或いはその一部を消去することは、
前記位置決定を実行することに先立ち前記ＵＥにある全ての所在地関連データを消去することを具備する、請求項１の方法。
【請求項５】
前記ＵＥにある前記所在地関連データの全て或いはその一部を消去することは、
位置決定を実行することに先立ち前記ＵＥにおいて利用可能な位置推定値を消去することを具備する、請求項１の方法。
【請求項６】
前記ＵＥにある所在地関連データの全て或いはその一部を消去することは、
前記位置決定を実行することに先立ち前記ＵＥにあるセルＩＤデータベースを消去することを具備する、請求項１の方法。
【請求項７】
もし消去命令が前記ネットワークから受信されないならば、前記ＵＥにある前記所在地関連データを保持することを更に具備する、請求項１の方法。
【請求項８】
前記ネットワークから受信された前記命令によって前記ＵＥにおいて既に消去された前記所在地関連データを前記ネットワークから受信することを更に具備する、請求項１の方法。
【請求項９】
利用者装置（ＵＥ）の位置決定を実行するための指示をネットワークから受信するために機能する受信機と；
前記位置決定を実行するための受領通知を前記ネットワークに送るために機能する送信機と；及び
もし前記ネットワークから受信される命令によって指示されるならば、前記ＵＥにある所在地関連データの全て或いはその一部を消去するために機能し、かつ、前記ＵＥの前記位置決定を実行するために機能するプロセッサと；
を具備する装置。
【請求項１０】
前記プロセッサは、前記ネットワークから受信される前記命令と関連付けられる少なくとも１つのタイプの所在地関連データを識別するために機能し、かつ、前記受信される命令と関連付けられる前記ＵＥにある前記少なくとも１つのタイプの所在地関連データを消去するために機能し、前記受信される命令は複数の消去命令の中から選択される、それぞれの消去命令は前記ＵＥにある少なくとも１つのタイプの所在地関連データの異なる集合に対応する、請求項９の装置。
【請求項１１】
前記プロセッサは、もし前記ネットワークから受信される命令によって指示されるならば、前記位置決定を実行することに先立ち前記ＵＥにある少なくとも１つのタイプの全地球測位衛星（ＧＰＳ）支援データを消去するために機能する、請求項９の装置。
【請求項１２】
利用者装置（ＵＥ）の位置決定を実行するための指示をネットワークから受信するための手段と；
前記位置決定を実行するための受領通知を前記ネットワークに送るための手段と；
もし前記ネットワークから受信される命令によって指示されるならば、前記ＵＥにある所在地関連データの全て或いはその一部を消去するための手段と；及び
前記ＵＥの位置決定を実行するための手段と；
を具備する装置。
【請求項１３】
前記ＵＥにある所在地関連データの全て或いはその一部を消去するための手段は、
前記ネットワークから受信される前記命令と関連付けられる少なくとも１つのタイプの所在地関連データを識別するための手段と、なお、前記受信される命令は複数の消去命令の中から選択され、それぞれの消去命令は前記ＵＥにある少なくとも１つのタイプの所在地関連データの異なる集合に対応する；及び
前記受信される命令と関連付けられる前記ＵＥにある前記少なくとも１つのタイプの所在地関連データを消去するための手段と；
を具備する、請求項１２の装置。
【請求項１４】
前記ＵＥにある所在地関連データの全て或いはその一部を消去するための手段は、
前記位置決定を実行することに先立ち前記ＵＥにある少なくとも１つのタイプの全地球測位衛星（ＧＰＳ）支援データを消去するための手段を具備する、請求項１２の装置。
【請求項１５】
ネットワークにおいて位置決定を実行する方法であって、
利用者装置（ＵＥ）の位置決定を実行するための指示を前記ネットワークから受信することと；
前記位置決定を実行するための受領通知を前記ネットワークに送ることと；
位置決定に関連する動作のための命令が前記ネットワークから受信されるかどうかを決定すること；
もし前記命令が前記ネットワークから受信されるならば、前記位置決定を実行することに先立ち、或いはその実行と連係して位置決定に関連する動作を実行すること；及び
前記ＵＥの位置決定を実行すること；
を具備する方法。
【請求項１６】
前記位置決定に関連する動作を実行することは、
前記位置決定を実行することに先立ち前記ＵＥにある所在地関連データの全て或いはその一部を消去することを具備する、請求項１５の方法。
【請求項１７】
前記位置決定に関連する動作を実行することは、
前記位置決定を実行するに際して時間オフセット、位置オフセット、或いは、時間オフセットと位置オフセットを共に適用することを具備する、請求項１５の方法。
【請求項１８】
前記位置決定に関連する動作を実行することは、
前記ＵＥにおいて利用可能な位置推定値を前記ネットワークに送ることを具備する、請求項１５の方法。
【請求項１９】
ネットワークにおいて位置決定を実行する方法であって、
利用者装置（ＵＥ）の位置決定を実行するための指示を前記ＵＥに送ることと；
前記ＵＥの位置決定を実行することに先立ち前記ＵＥにある所在地関連データの全て或いはその一部を消去する命令を前記ＵＥに選択的に送ることと；
前記位置決定を実行するための受領通知を前記ＵＥから受信することと；及び
もし前記命令が前記ＵＥに送られるならば、その全て或いはその一部が消去されようとしている前記ＵＥにある所在地関連データを有する前記ＵＥの位置決定を実行することと；
を具備する方法。
【請求項２０】
前記ＵＥにある所在地関連データの全て或いはその一部を消去する命令を前記ＵＥに選択的に送ることは、
複数の消去命令の中から１つの消去命令を選択することと、なお、それぞれの消去命令は前記位置決定を実行することに先立ち前記ＵＥにおいて消去されるべき少なくとも１つのタイプの所在地関連データの異なる集合に対応する；及び
前記選択された消去命令を前記ＵＥに送ることと；
を具備する、請求項１９の方法。
【請求項２１】
前記選択される消去命令は、前記位置決定を実行することに先立ち前記ＵＥにある少なくとも１つのタイプの全地球測位衛星（ＧＰＳ）支援データを消去することを前記ＵＥに指示する、請求項２０の方法。
【請求項２２】
前記選択される消去命令は、前記ＵＥにおいて利用可能な位置推定値を消去することを前記ＵＥに指示する、請求項２０の方法。
【請求項２３】
前記選択される消去命令は前記ＵＥにある全ての所在地関連データを消去することを前記ＵＥに指示する、請求項２０の方法。
【請求項２４】
前記ＵＥの位置決定を実行することは、
前記ＵＥと前記ＵＥの位置決定を支援するために指定されたネットワーク構成要素との間のセッションを開始することと、なお、前記位置決定は前記ネットワーク構成要素と前記ＵＥによって実行される；及び
前記ＵＥにの位置決定を前記ネットワーク構成要素から受信することと；
を具備する、請求項１９の方法。
【請求項２５】
前記命令は、前記位置決定のための前記ネットワークと前記ＵＥとの間の通信のために使用されるセッション識別子の中で選択的に送られる、請求項１９の方法。
【請求項２６】
利用者装置（ＵＥ）の位置決定を実行するための指示を前記ＵＥに送るために機能し、かつ、前記ＵＥの位置決定を実行することに先立ち前記ＵＥにある所在地関連データの全て或いはその一部を消去する命令を前記ＵＥに選択的に送るために機能する送信機と；
前記位置決定を実行するための受領通知を前記ＵＥから受信するために機能する受信機と；及び
もし前記命令が前記ＵＥに送られるならば、その全て或いはその一部が消去されようとしている前記ＵＥにある所在地関連データを有する前記ＵＥの位置決定を実行するために機能するプロセッサと；
を具備する装置。
【請求項２７】
前記プロセッサは、複数の消去命令の中から１つの消去命令を選択するために機能し、かつ、前記選択された消去命令を前記ＵＥに送ることを前記送信機に指示するために機能し、前記複数の消去命令のそれぞれは前記位置決定を実行することに先立ち前記ＵＥにおいて消去されるべき少なくとも１つのタイプの所在地関連データの異なる集合に対応する、請求項２６の装置。
【請求項２８】
利用者装置（ＵＥ）の位置決定を実行するための指示を前記ＵＥに送るための手段と；
前記ＵＥの位置決定を実行することに先立ち前記ＵＥにある所在地関連データの全て或いはその一部を消去する命令を前記ＵＥに選択的に送るための手段と；
前記位置決定を実行するための受領通知を前記ＵＥから受信するための手段と；及び
もし前記命令が前記ＵＥに送られるならば、その全て或いはその一部が消去されようとしている前記ＵＥにある所在地関連データを有する前記ＵＥの位置決定を実行するための手段と；
を具備する装置。
【請求項２９】
前記ＵＥにある所在地関連データの全て或いはその一部を消去する命令を前記ＵＥに選択的に送るための手段は、
複数の消去命令の中から１つの消去命令を選択するための手段と、なお、それぞれの消去命令は前記位置決定を実行することに先立ち前記ＵＥにおいて消去されるべき少なくとも１つのタイプの所在地関連データの異なる集合に対応する；及び
前記選択された消去命令を前記ＵＥに送るための手段と；
を具備する、請求項２８の装置。
【請求項３０】
ネットワークにおける位置決定を実行する方法であって、
位置決定に関連する動作のための命令を選択することと、なお、前記動作は前記位置決定を実行することに先立ち或いはその実行と連係して利用者装置（ＵＥ）によって実行される；及び
前記選択された命令および前記ＵＥに対する位置決定を実行するための指示を前記ＵＥに送ることと；
を具備する方法。
【請求項３１】
前記命令を選択することは、
複数の消去命令の中から１つの消去命令を選択すること、なお、それぞれの消去命令は前記位置決定を実行することに先立ち前記ＵＥによって消去されるべき少なくとも１つのタイプの所在地関連データの異なる集合に対応する、
を具備する、請求項３０の方法。
【請求項３２】
前記命令を選択することは、
複数の動作命令の中から１つの動作命令を選択すること、なお、それぞれの動作命令は前記位置決定を実行することに先立ち或いはその実行と連係して前記ＵＥによって実行されるべき異なる動作に対応する、
を具備する、請求項３０の方法。
【発明の詳細な説明】
【技術分野】
【０００１】
本発明は、一般に通信に係わり、そして更に具体的には、位置決定を実行するための方法および装置に関する。
【背景技術】
【０００２】
ネットワークにおいて無線デバイスの位置を知ることは多くの場合に望ましいことであり、そして時には必要である。例えば、無線利用者は、ウェブサイトを介して閲覧するために無線デバイスを利用することが出来て、そして所在地に敏感なコンテントをクリックすることができる。その時ウェブ・サーバは、該無線デバイスの位置に関して該ネットワークに尋ねる。該ネットワークは、位置決定を実行しそして該無線デバイスの位置を確定するために該無線デバイスについての所在地探索処理を開始するはずである。次に、該ネットワークは、該ウェブ・サーバに該無線デバイスに関する位置推定値を返すはずであり、該ウェブ・サーバはこの位置推定値を使用して無線利用者に適切なコンテントを提供する。所在地情報が有用である又は必要である別のシナリオが多数ある。下記の説明において、用語“所在地（location）”及び“位置（position）”は同義語であって互いに交換可能に使用される。
【０００３】
位置決定を実行するために、無線デバイスは、該無線デバイスによって観測可能な衛星及び／又は基地局に関する測定を行う。一般的には無線デバイスは、前もって決められた手順に従い、そして観測可能な衛星の探査範囲を狭くすることが出来る支援データを使用して、衛星に関する測定を行う。あるシナリオでは、下記に説明されるように、位置決定を実行することに先立ち、無線デバイスを既知の状態にリセットすることが望ましい。
【０００４】
従って、当業界には位置決定を柔軟に実行するための方法および装置に対する必要性がある。
【発明の概要】
【０００５】
利用者装置（user equipment）（ＵＥ）とも呼ばれる無線デバイスの位置決定を柔軟に実行するための方法および装置が、本明細書において説明される。本方法および装置の１つの実施形態では、ネットワークは、ＵＥの位置決定を実行するための指示（例えば、許可要求）をＵＥに送る。ネットワークは、しかも位置決定に関連する動作のためにプレセッション命令を、一般的には該指示とともに、該ＵＥに選択的に（又はオプションとして）送る。例えば、該命令は、ＵＥに（１）位置決定を実行することに先立ち該ＵＥにある全ての或いは一部の所在地関連データを消去することを、（２）もしそれが利用可能ならば、該ＵＥのための位置推定値を返送すること、或いは、（３）位置決定を実行する際に時間オフセット及び／又は位置オフセットを適用すること、を指示することが出来る。該ＵＥは、位置決定を実行するための受領通知（例えば、許可承諾）を該ネットワークに送る。該ＵＥは、しかも位置決定を実行することに先立ち或いはその実行と連係して（もしあれば）該ネットワークから受信される命令によって指示される動作を実行する。この動作は、該ＵＥを既知の状態にリセットすることができ、それは様々なシナリオにとって好ましいといえる。該ネットワークとＵＥは、次に該ＵＥのための位置決定を実行する。
【０００６】
本発明の様々な態様および実施形態が下記に更に詳細に説明される。
【０００７】
本発明の特徴及び本質は、図面を使用して下記に記載される詳細な説明から更に明らかになる。図面では、一貫して対応するものは同じ参照符号で識別する。
【図面の簡単な説明】
【０００８】
【図１】図１は、位置決定を実行することが出来るネットワークの図を示す。
【図２】図２は、ユーザ面を有するネットワークにおいてネットワークにより開始される位置決定のためのコール・フローを示す。
【図３】図３は、ユーザ面を有するネットワークにおいてＵＥにより開始される位置決定のためのコール・フローを示す。
【図４】図４は、制御面を有するネットワークにおいてネットワークにより開始される位置決定のためのコール・フローを示す。
【図５】図５は、図１のネットワークにおける様々な構成要素のブロック図を示す。
【発明の詳細な説明】
【０００９】
“具体例の（exemplary）”という用語は本明細書中では、“例、例証、又は実例として働く”ということを意味するように使用される。本明細書中で“具体例の”と記載される何れの実施形態又は設計も、他の実施形態又は設計に対して好ましい又は有利であると解釈される必要はない。
【００１０】
図１は、位置決定を実行することが出来るネットワーク１００の図を示す。ネットワーク１００は、無線ネットワーク１１０を含み、それは該無線ネットワークの交信範囲全体にわたって配置される無線デバイスに対して無線通信を提供する。簡単のために、図１には唯1つの無線デバイス１２０が示される。無線デバイスは固定型でも移動型でも良い、そして、同様に、利用者装置（ＵＥ）、移動局、端末、加入者ユニット、或いは何か他の用語、で呼ばれることもある。
【００１１】
無線ネットワーク１１０は、符号分割多元接続（Code Division Multiple Access）（ＣＤＭＡ）ネットワーク、時分割多元接続（Time Division Multiple Access）（ＴＤＭＡ）ネットワーク、周波数分割多元接続（Frequency Division Multiple Access）（ＦＤＭＡ）ネットワーク、直交周波数分割多元接続（Orthogonal Frequency Division Multiple Access）（ＯＦＤＭＡ）ネットワーク、或いは何か他の多元接続ネットワーク、であることが出来る。ＣＤＭＡネットワークは、広帯域ＣＤＭＡ（Wideband-CDMA）（Ｗ−ＣＤＭＡ）及びｃｄｍａ２０００のような、１又は複数のＣＤＭＡ無線接続技術（radio access technologies）（ＲＡＴｓ）を実行することが出来る。ｃｄｍａ２０００は、ＩＳ−２０００標準、ＩＳ−８５６標準、及び、ＩＳ−９５標準を包含する。ＴＤＭＡネットワークは、グローバル・システム・フォー・モバイル・コミュニケーションズ（Global system for Mobile communications）（ＧＳＭ）のような１又は複数のＴＤＭＡ  ＲＡＴを実行することが出来る。これ等の種々のＲＡＴ及び標準は、この分野において周知である。Ｗ−ＣＤＭＡとＧＳＭは、“第３世代パートナーシップ・プロジェクト”（“3rd Generation Partnership Project”）（３ＧＰＰ）と呼ばれるコンソーシアムからの文書に説明されており、そしてユニバーサル移動電話システム（Universal Mobile Telecommunication System）（ＵＭＴＳ）の一部である。ｃｄｍａ２０００は、“第３世代パートナーシップ・プロジェクト２”（“3rd Generation Partnership Project 2”）（３ＧＰＰ２）と呼ばれるコンソーシアムからの文書に説明されている。３ＧＰＰと３ＧＰＰ２の文書は公に入手可能である。簡明のために、ある種の態様が、ＵＭＴＳに対して下記に具体的に説明される。無線デバイス１２０は、下記の説明ではＵＥ１２０（３ＧＰＰの用語）と呼ばれる。
【００１２】
ネットワーク１００では、位置探査サービス（location service）（ＬＣＳ）クライアント１３０は、ＬＣＳのターゲットに対して所在地情報を要求する機能或いは構成要素である。ＬＣＳのターゲットは、その位置が探査されているＵＥである。一般には、ＬＣＳクライアントはネットワーク構成要素あるいはＵＥの中に存在できる。ＬＣＳマネジャー１４０は、無線ネットワーク１１０、ＬＣＳクライアント１３０、位置決定サーバ１５０、及びプッシュ・プロキシ・ゲートウェイ（Push Proxy Gateway）（ＰＰＧ）１６０と通信する。ＬＣＳマネジャー１４０は、例えば加入者個人情報、認定、認証、請求書作成、等々のような様々なサービスを提供する。位置決定サーバ１５０は、位置決定サービスを提供し、そして、ＵＥベースの測位モード及びＵＥに支援される測位モードをサポートする。ＵＥベースの測位モードでは、ＵＥの位置は、恐らく位置決定サーバ１５０からの支援データを用いて、該ＵＥによって決定される。ＵＥに支援される測位モードでは、ＵＥの位置は、ＵＥからの支援（例えば、測定値）を用いて、位置決定サーバ１５０によって決定される。ＰＰＧ１６０は、ネットワークを介してコンテントをプッシュするための標準アプリケーション・プログラミング・インターフェース（Application Programming Interface）（ＡＰＩ）を創り、そして様々な無線インターフェースに対する適応を実行するネットワーク構成要素である。
【００１３】
簡単のため、図１は位置決定に関して直接関係するネットワーク構成要素を主体に示す。これ等のネットワーク構成要素は、他の名称で呼ばれることも出来る。例えば、ＬＣＳマネジャー１４０は、ＬＣＳサーバ、ロケーション・サーバ、移動位置決定センタ（mobile positioning center）（ＭＰＣ）、ゲートウェイ移動位置探索センタ（gateway mobile location center）（ＧＭＬＣ）等々と呼ばれることも出来る。位置決定サーバ１５０は、位置決定構成要素（position determination entity）（ＰＤＥ）、取り扱い移動位置探索センタ（serving mobile location center）（ＳＭＬＣ）等々と呼ばれることも出来る。一般に、ネットワークは、任意の範囲のサービスを提供することが出来るネットワーク構成要素の任意の集合を含むことが出来る。
【００１４】
図１は、ネットワーク１００の具体例のアーキテクチャを示す。このアーキテクチャでは、ＵＥ１２０と位置決定サーバ１５０は、これ等２つの構成要素に対するプロキシとして働くＬＣＳマネジャー１４０を介してメッセージを交換する。位置決定サーバ１５０は、１つのインターフェース（例えば、ＬＩｐインターフェース）を使用してＬＣＳマネジャー１４０と通信することが出来、そして、別のインターフェース（例えば、Ｌｕｐインターフェース）を使用してＬＣＳマネジャー１４０を介しＵＥ１２０と通信することが出来る。様々な複数のネットワーク構成要素の間の別のインターフェースを有する他のアーキテクチャも、同様にネットワーク１００に対して使用されることが出来る。
【００１５】
ネットワーク１００は、位置決定を支援するためにユーザ面(user plane)または制御面(control plane)を利用することが出来る。ユーザ面は、より上位層のアプリケーションに対するデータを搬送するための機構であってユーザ面ベアラを採用する。該ユーザ面ベアラは、一般的には、例えば利用者ダイアグラム・プロトコル（User Diagram Protocol）（ＵＤＰ）、伝送制御プロトコル（Transmission Control Protocol）（ＴＣＰ）、及びインターネット・プロトコル（Internet Protocol）（ＩＰ）、これ等はこの分野において全て周知である、の様な種々のプロトコルを用いて実行される。制御面（これは通常信号面とも呼ばれる）は、より上位層のアプリケーションに対するデータを搬送する別の機構であり、そしてネットワークに固有のプロトコルとシグナリング・メッセージを用いて実行されることが出来る。
【００１６】
ＵＥ１２０は、しかも全地球測位システム（Global Positioning System）（ＧＰＳ）における衛星１７０のような、種々の衛星から信号を受信することが出来る。ＧＰＳは、十分な間隔を置いた軌道の中で地球を周回する２４個の活動する衛星と幾つかの予備衛星のコンステレーションである。ＵＥ１２０は、ＧＰＳ衛星からの信号を測定し、そしてこれ等の衛星に対する擬似距離測定値を得ることが出来る。これ等の測定値は、該ＵＥに対する精確な位置推定値を計算するために使用されることが出来る。
【００１７】
ＵＥ１２０の位置は、（１）該ＵＥで走っているアプリケーション（applications）（ＡＰＰｓ）によって要求されることが出来て、それはＵＥにより開始される位置決定に帰着する、及び（２）ＬＣＳクライアント１３０で走っているアプリケーションによって要求されることが出来て、それはネットワークにより開始される位置決定に帰着する。一般には、ネットワークにより開始される位置決定およびＵＥにより開始される位置決定は、様々な構成要素、アプリケーション及びイベントによってトリガーされることが出来る。明確を期するために、ネットワークにより開始される位置決定およびＵＥにより開始される位置決定に対する幾つかの具体例のコール・フローが下記に説明される。
【００１８】
図２は、ユーザ面を有するネットワーク１００においてネットワークにより開始される位置決定のための具体例のコール・フロー２００を示す。コール・フロー２００に関しては、ＵＥ１２０はその位置が探査されるターゲットＵＥである。位置決定サーバ１５０は、ターゲットＵＥ１２０に関連付けられる地理的領域を取り扱う。
【００１９】
ＵＥ１２０における無線利用者は、無線アプリケーション・プロトコル（Wireless Application Protocol）（ＷＡＰ）アプリケーション（或いは何か他のブラウザ・アプリケーション）を実行し、ウェブサイトを閲覧し、そして、無線ネットワーク１１０を介してＷＡＰハイパー・テキスト転送プロトコル（Hyper Text Transfer Protocol）（ＨＴＴＰ）要求をＬＣＳクライアント１３０に送ることによって所在地に敏感なコンテント(location sensitive content)を要求する（ステップＡ）。ステップＡは、ネットワークにより開始される位置決定に対して存在することも存在しないこともあり得る。一般には、位置決定は、様々な構成要素によって及び／又は様々なイベントに応答して、ネットワーク側で開始されることが出来る。
【００２０】
ＬＣＳクライアント１３０は、ＷＡＰ  ＨＴＴＰ要求を受信し、そして適切なコンテントを提供するためにＵＥの位置が必要とされることを決定する。ＬＣＳクライアント１３０は、次に、ＵＥ１２０に対する位置決定を要求するために、モバイル位置探査プロトコル（Mobile Location Protocol）（ＭＬＰ）位置探査即時要求（Location Immediate Request）（ＳＬＩＲ）メッセージをＬＣＳマネジャー１４０に送る（ステップＢ）。ＭＬＰは、ＬＣＳクライアント１３０とＬＣＳマネジャー１４０との間の通信のために使用されることが出来る１つの信号プロトコルであり、このインターフェースのために他の信号プロトコルが使用されることも出来る。ＭＬＰ  ＳＬＩＲメッセージは、例えば、ＵＥ１２０のための識別子（msid）、ＬＣＳクライアント１３０のための識別子（lcs-client-id）、サービスの位置探査品質（qos）等々を含むことが出来る。該ｑｏｓは、ターゲットＵＥのための位置決定に対する要求精度を指示する。
【００２１】
ＬＣＳマネジャー１４０はＭＬＰ  ＳＬＩＲメッセージを受信し、識別子（lcs-client-id）に基づいてＬＣＳクライアント１３０を認証し、そして、要求されたサービスに対してＬＣＳクライアント１３０が認証されているかどうかを決定する（同様にステップＢ）。ＬＣＳマネジャー１４０は、該ＵＥに対して位置決定が許可されているかどうかを決定するために、加入者個人情報の照合を実施する（同様にステップＢ）。この照合は、（１）受信されたＭＬＰ  ＳＬＩＲメッセージに含まれる、識別子（lcs-client-id）、識別子（msid）、サービスの位置探査品質（qos）等々に基づいて、及び（２）一般的にはＵＥにおける無線利用者である、加入者のためのプロファイル又はサブスクリプションに基づいて、実行されることが出来る。もし加入者個人情報照合にパスするならば、その時は、下記に説明されるように、コール・フロー２００の残りのステップが続く。その他の場合、もし加入者個人情報照合に失敗するならば、その時は、ＬＣＳマネジャー１４０は、要求されたサービスに対してＬＣＳクライアント１３０を認証せず、コール・フロー２００は早々に終了してステップＭに飛び、そして、ＬＣＳマネジャー１４０は該当するＭＬＰリターン・コードに戻る。
【００２２】
もしステップＢにおいて全ての該当する照合がパスするならば、その時は、ＬＣＳマネジャー１４０は、ＬＣＳＩＮＩＴメッセージを該ＵＥに送ることによって、ＵＥ１２０に関する位置探査処理を開始する（ステップＣ）。ＬＣＳＩＮＩＴメッセージは、例えば、セッション識別子（sessionid）、通知、測位モード（posmode）、ＬＣＳマネジャー１４０に対するアドレス（lcs manager address）等々を含むことが出来る。該セッション識別子（sessionid）は，位置探査要求に関するネットワークとＵＥとの間の通信を明白に識別するために使用される。該通知は、（１）無線利用者に該位置探査要求を知らせる通知、及び（２）該位置探査要求に関する無線利用者からの同意を得るための検証、を実行するかどうかを指示する。該通知パラメータは、一般的には通知のためのある直接関係するテキストを含む。測位モードは、例えばＵＥベースの測位モード或いはＵＥに支援される測位モードのような、何れのモードを位置決定のために使用するのかを指示する。ＬＣＳＩＮＩＴメッセージは、位置決定に関する特別な動作を実行することをＵＥに指示するプレセッション命令をオプションで含むことが出来る。例えば、プレセッション命令は、ＵＥが（１）ＵＥに記憶されている所在地関連データの全て或いは一部を消去すること、（２）もし利用可能であれば、ＵＥに対する位置推定値をＬＣＳマネジャーに返送すること、（３）ＵＥに対する新しい位置推定値を計算するに際し位置オフセット及び／又は時間オフセットを適用すること、等々を指示することが出来る。ＬＣＳＩＮＩＴメッセージは、位置探査処理を開始するためにＷＡＰ  ＰＵＳＨトリガーとして実行されることが出来る。該位置探査処理は、適切な信号交換およびターゲットＵＥに関する所在地情報を得るための処理を含む。ＬＣＳマネジャー１４０は、ＬＣＳＩＮＩＴメッセージを送ると同時にタイマＬＴ１を始動する（同様にステップＣ）。タイマＬＴ１は、応答が該タイマの終了前にＵＥ１２０から受信されない場合、位置探査処理を時間切れにするために使用される。
【００２３】
ＵＥ１２０は、ＬＣＳマネジャー１４０からＬＣＳＩＮＩＴメッセージを受信する。もし該ＬＣＳＩＮＩＴメッセージにおいてプレセッション命令が受信されるならば、その場合、ＵＥ１２０は、例えばＬＣＳＩＮＩＴメッセージを受信すると或いはその後で、命令によって指示される動作を実行する。もし、ＬＣＳＩＮＩＴメッセージ中の通知パラメータによって指示されるように、通知または検証が要求されるならば、その場合、ＵＥ１２０は、該ＵＥに対して所在地情報を要求する構成要素を無線利用者に通知するためにポップアップ・テキスト又はある他の表示を与える。もし検証が要求されるならば、その場合該無線利用者は、該位置探査要求を承諾するか拒否するか何れかを尋ねられる。
【００２４】
もし該無線利用者が位置探査要求を承諾するならば、その時は、ＵＥ１２０は、例えば現在のセル情報（cellinfo）及びＵＥ能力（ＵＥcap）の様な、位置決定に直接関係する様々な型の情報を検索することによって位置探査処理のための準備をする。セル情報は、ＵＥに対する適切な支援データを提供するために使用されることができる。ＵＥ能力は、ＵＥに対する位置決定を実行するために何れの測位モードを使用するべきかを決定するために利用されることが出来る。ＵＥ１２０は、次にＬＣＳマネジャー１４０に、該ＬＣＳマネジャーとの位置探査セッションを開始するために、位置探査開始要求（Start Location Request）（ＳＬＲＥＱ）メッセージを送る（ステップＤ）。このＳＬＲＥＱメッセージは、例えば、セッション識別子（sessionid）、セル情報、選択された測位モード、ＵＥ能力、等々を含むことが出来る。ＳＬＲＥＱメッセージは、オプションで、例えば、もしこの位置推定値が利用可能であり且つ（もしあれば）ネットワーク及び／又はＵＥによって課される全ての評価基準を満たすならば、ＵＥ１２０に対する位置推定値を含む。ＵＥ１２０は、例えば、ネットワークまたはＵＥによって開始されることが出来た以前の位置探査要求に対する位置決定を実行することによって、この位置推定値を獲得することが出来る。ＵＥ１２０は、ＳＬＲＥＱメッセージを送るとタイマＵＴ１を始動する（同様にステップＤ）。このタイマは、もし応答が該タイマの終了前にＬＣＳマネジャー１４０から受信されない場合、位置探査処理を時間切れにするために使用される。
【００２５】
もし無線利用者が位置探査要求を拒否するならば、その時は、ＵＥ１２０は位置探査開始拒絶（Start Location Reject）（ＳＬＲＥＪ）メッセージをＬＣＳマネジャー１４０に送る（図２Ａには示されない）。ＳＬＲＥＪメッセージは、この位置探査要求に関するＵＥ１２０とＬＣＳマネジャー１４０との通信を終了させる。下記の説明は、ＵＥがＳＬＲＥＱメッセージを送ることを仮定する。
【００２６】
ＬＣＳマネジャー１４０は、ＵＥ１２０からＳＬＲＥＱメッセージを受信する、そしてこのメッセージの受信と同時にＬＴ１タイマを止める（同様にステップＤ）。ＬＣＳマネジャー１４０は、受信されたＳＬＲＥＱメッセージに含まれるパラメータを抽出する。もしＵＥ１２０に対する位置推定値が該ＳＬＲＥＱメッセージに含まれており、そしてＬＣＳマネジャー１４０がこの位置推定値を使用することを決定するならば、その時は、コール・フロー２００は、ステップＧを実行しそして次にステップＭに進む。その他の場合、ＬＣＳマネジャー１４０は、位置決定要求（Position Request）（ＰＲＥＱ）メッセージを位置決定サーバ１５０に送ることによって、ＵＥ１２０に対する位置探査処理を開始する（ステップＥ）。このＰＲＥＱメッセージは、例えば、セッション識別子（sessionid）、測位モード（posmode）、セル情報（cellinfo）等々を含むことが出来る。ＬＣＳマネジャー１４０は、該ＰＲＥＱメッセージを送ると同時にタイマＬＴ２を始動する（同様にステップＥ）。ＬＴ２タイマは、もし応答が該タイマの終了の前に位置決定サーバから受信されないならば、位置決定サーバ１５０との通信を時間切れにするために使用される。
【００２７】
位置決定サーバ１５０は、ＬＣＳマネジャー１４０からＰＲＥＱメッセージを受信し、そして位置応答（Position Response）（ＰＲＥＳＰ）メッセージを返送する（ステップＦ）。ＰＲＥＳＰメッセージは、例えば、セッション識別子（sessionid）を含むことが出来る。ＰＲＥＳＰメッセージは、位置決定サーバ１５０がセッション識別子（sessionid）によって識別される位置探査要求を処理する準備が出来ていることをＬＣＳマネジャー１４０に確認する。位置決定サーバ１５０は、ＰＲＥＳＰメッセージを送ると同時にタイマＰＴ１を始動する（同様にステップＦ）。ＰＴ１タイマは、もしメッセージが該タイマの終了前にターゲットＵＥ１２０から受信されないならば、このセッション識別子（sessionid）に対する位置決定を時間切れにするために使用される。
【００２８】
ＬＣＳマネジャー１４０は、位置決定サーバ１５０からＰＲＥＳＰメッセージを受信し、そしてＬＴ２タイマを止める（同様にステップＦ）。ＬＣＳマネジャー１４０は、次に、位置決定手順を開始するために、位置探査開始応答（Start Location Response）（ＳＬＲＥＳＰ）メッセージをＵＥ１２０に送る（ステップＧ）。位置決定手順は、適切な信号交換およびターゲットＵＥに対する位置推定値を得るために直接関係する処理を含む。ＳＬＲＥＳＰメッセージは、例えば、セッション識別子（sessionid）、及び、恐らく他の情報（例えば、ＵＥ１２０が位置決定に関連するある種の動作を実行することを指示するプレセッション命令、もしこの命令がステップＣで送られなかった場合）を含むことが出来る。ＳＬＲＥＳＰメッセージは、位置決定サーバ１５０が該ＵＥのための位置決定を実行する準備が出来ていることを、ＵＥ１２０に報告する。ＬＣＳマネジャー１４０は、ＳＬＲＥＳＰメッセージを送ると同時にタイマＬＴ３を始動する（同様にステップＧ）。ＬＴ３タイマは、もし返答がこのタイマの終了前に位置決定サーバから受信されないならば、位置決定サーバ１５０との通信を時間切れにするために使用される。
【００２９】
ＵＥ１２０は、ＬＣＳマネジャー１４０からＳＬＲＥＳＰメッセージを受信し、そしてＵＴ１タイマを止める（同様にステップＧ）。ＵＥ１２０は、次に、位置決定開始（Position Determination Initiation）（ＰＤＩＮＩＴ）メッセージをＬＣＳマネジャー１４０に送ることによって、位置決定手順を開始する。ＬＣＳマネジャー１４０は、該メッセージを位置決定サーバ１５０に転送する（ステップＨ）。このＰＤＩＮＩＴメッセージは、例えば、セッション識別子（sessionid）、セル情報（cellinfo）（例えば、ＵＥ１２０がその中に位置するセルの識別子）、支援データ（ａｄ）に対する要求、ＵＥに対する粗い位置推定値、等々、を含むことが出来る。ＵＥ１２０は、ＰＤＩＮＩＴメッセージを送ると同時にタイマＵＴ２を始動する（同様にステップＨ）。ＵＴ２タイマは、もし返答がこのタイマの終了前に位置決定サーバから受信されないならば、位置決定サーバ１５０との通信を時間切れにするために使用される。
【００３０】
位置決定サーバ１５０は、ＵＥ１２０からＰＤＩＮＩＴメッセージを受信し、そしてＰＴ１タイマを止める（同様にステップＨ）。位置決定サーバ１５０は、次に、位置決定メッセージ通信（Position Determination Messaging）（ＰＤＭＥＳＳ）メッセージを送ることによって、精密位置決定手順を開始する（ステップＩ）。ＰＤＭＥＳＳは、無線リソースＬＣＳプロトコル（Radio Resource LCS Protocol）（ＲＲＬＰ）測位要求（Measure Position Request）メッセージを含む。ＲＲＬＰは、ＧＰＳ衛星に関する測定を用いて位置決定を実行するために利用可能な、複数のアシスト全地球測位システム（assisted Global Positioning System）（Ａ−ＧＰＳ）プロトコルの１つである。ＲＲＬＰ測位要求メッセージは、例えば、位置決定に対する要求、支援データ、及び、恐らく他の情報、例えば位置決定に関連するある種の動作を実行することをＵＥ１２０に指示するプレセッション命令、を含むことが出来る。
【００３１】
ＵＥ１２０は、位置決定サーバ１５０からＰＤＭＥＳＳメッセージを受信し、そしてＵＴ２タイマを止める（同様にステップＩ）。もし、ネットワークから受信されたプレセッション命令によって指示される様に、ＵＥ１２０がＵＥに記憶されたＧＰＳ支援データを消去完了しているならば、その時は、ＵＥ１２０は、ネットワークから新しい支援データを要求することが出来る、或いは、新しい支援データをＧＰＳ衛星から直接得ることが出来る。例えば、ＵＥ１２０は、支援データの要求及びエラー・コードを含んでいるＲＲＬＰ測位応答メッセージを位置決定サーバ１５０に送ることが出来る（図２には示されない）。位置決定サーバ１５０は、次にＵＥ１２０によって要求された支援データを含む別のＲＲＬＰ測位応答メッセージを送ることが出来る（同様に図２には示されない）。
【００３２】
（もしあれば）直接関係する支援データの全てを得た後に、ＵＥ１２０は、選択された測位モードに適した測定を実行する。例えば、ＵＥ１２０は、（１）Ａ−ＧＰＳ位置決定のためのＧＰＳ衛星に対する擬似距離測定値及び／又は時間測定値、（２）地上波での位置決定のための基地局に対する擬似距離測定値及び／又は時間測定値、（３）混合位置決定のための衛星および基地局双方に対する測定値、（４）セルＩＤに基づいた位置決定のためのセル識別子、等々を得ることが出来る。ＧＰＳ衛星に対する測定は、ネットワークまたはＧＰＳ衛星から丁度ダウンロードされることが出来たＵＥ１２０で利用可能な支援データを用いて行われる。ＵＥベースの測位モードに対しては、ＵＥ１２０は更に該測定値に基づいて位置推定値を計算する。ＵＥ１２０は、次にＲＲＬＰ測位応答メッセージを含むＰＤＭＥＳＳメッセージをＬＣＳマネジャー１４０に送り、ＬＣＳマネジャー１４０は該メッセージを位置決定サーバ１５０に転送する（ステップＪ）。ＲＲＬＰ測位応答メッセージは、ＵＥによって行われた測定値、ＵＥによって計算された位置推定値、及び／又は、更なる支援データの要求、を含むことが出来る。ＵＥに支援される測位モードに対しては、ＵＥ１２０は、ＰＤＭＥＳＳメッセージを送ると同時にタイマＵＴ３を始動する（同様にステップＪ）。ＵＴ３タイマは、もし返答がこのタイマの終了前に位置決定サーバから受信されないならば、位置決定サーバ１５０との通信を時間切れにするために使用される。
【００３３】
位置決定サーバ１５０は、ＵＥ１２０からＰＤＭＥＳＳメッセージを受信する（同様にステップＪ）。ＵＥベースの測位モードに対しては、位置決定サーバ１５０は、受信されたＲＲＬＰ測位応答メッセージに含まれる位置推定値を利用する。ＵＥに支援される測位モードに対しては、位置決定サーバ１５０は、ＵＥ１２０に位置決定報告（Position Determination Report）（ＰＤＲＰＴ）メッセージを送る（ステップＫ）。位置決定サーバ１５０は、ＵＥベースの測位モードに対してはＵＥ１２０にＰＤＲＰＴメッセージを送らない。位置決定サーバ１５０は、同様に、位置報告（Position Report）（ＰＲＰＴ）メッセージをＬＣＳマネジャー１４０に送る（ステップＬ）。このＰＲＰＴメッセージは、例えば、セッション識別子（sessionid）、ＵＥ１２０に関する所在地情報、エラー・コード／原因（適用可能な場合）、等々を含むことが出来る。
【００３４】
ＬＣＳマネジャー１４０は、位置決定サーバ１５０からＰＲＰＴメッセージを受信し、そしてＬＴ３タイマを止める（同様にステップＬ）。ＬＣＳマネジャー１４０は、受信されたＰＲＰＴメッセージからＵＥ１２０に関する所在地情報を抽出し、そしてＭＬＰ所在地即時受領通知（Location Immediate Acknowledgement）（ＳＬＩＡ）メッセージをＬＣＳクライアント１３０に送る（ステップＭ）。このＭＬＰ  ＳＬＩＡメッセージは、ＵＥ１２０に対して要求される位置推定値（posresult）及び恐らくは他の直接関係する情報を含む。ＬＣＳクライアント１３０は、ＭＬＰ  ＳＬＩＡメッセージを受信し、そして該無線利用者によって要求されている所在地に敏感なコンテントを検索するためにＵＥ１２０に関する該位置推定値を使用する。ＬＣＳクライアント１３０は、次にこの所在地に敏感なコンテントを含むＷＡＰ  ＨＴＴＰ応答メッセージをＵＥ１２０に送る（ステップＮ）。ステップＡとステップＮは、（例えば、所在地に敏感なコンテントをダウンロードするための）ＷＡＰ通話に対して存在し、そしてネットワークにより開始される位置決定の他の場合に対しては存在しないことがある。
【００３５】
ＵＥ１２０は、様々な型の所在地関連データを記憶することが出来る。所在地関連データは、例えば、ＧＰＳ支援データ、ＵＥに関する位置推定値、セルＩＤデータベース、等々を含むことが出来る。表１は、幾つかの型の所在地関連データ及びそれらの短い説明を列挙する。
【表１】
2011024240.tif 000003
【００３６】
ＧＰＳ支援データは、ＧＰＳ衛星に対する探査の範囲を狭めるために使用される、そして例えば、アルマナック、エフェメリス、時間情報、電離層情報、ＵＴＣ、等々を含むことが出来る。それぞれのＧＰＳ衛星は、コンステレーションにおける全ての動作中のＧＰＳ衛星の大まかな位置を計算するために使用されることが出来るアルマナックを発信する。それぞれのＧＰＳ衛星は、しかもコンステレーションにおける自身の精確な位置を計算するために使用されることが出来るエフェメリスも発信する。それぞれのＧＰＳ衛星のタイミング、それは多くの場合ＧＰＳ時間と呼ばれる、は、該衛星によって発信される信号から得られることが出来る。それぞれのＧＰＳ衛星は、しかもそのＵＴＣ時間オフセットおよび電離層情報も発信する。
【００３７】
ＵＥ１２０は、観測可能な衛星に対する探査範囲を狭めることが出来る支援データを用いてＧＰＳ衛星に関する測定を更に迅速に行うことが出来る。ＵＥ１２０は、ネットワークから該支援データを得ることが出来る、及び／又は、該データを衛星から直接ダウンロードすることが出来る。ＵＥ１２０は、一般的には該支援データが古くなるまでそれを記憶する、そして古くなった時点で、ＵＥはネットワークから新しい支援データを要求することが出来る、或いは、このデータを衛星からダウンロードすることが出来る。
【００３８】
ＵＥ１２０は、位置探査要求がネットワークから受信される時に、自身の位置推定値を既に所有していることがある。この位置推定値は、先行の位置探査要求に対して位置決定を実行することによって得られている。この位置推定値は、例えば、ＵＥの推定された位置に対する緯度、経度、高度（３次元位置推定値に対して）、位置推定値の不確定さ、及び位置推定値が該不確定さの範囲内にあることへの信頼性を含むことが出来る。
【００３９】
ＵＥ１２０は、異なるセルにおいてＵＥに対して過去に計算された位置推定値を含む、セルＩＤデータベースを同様に記憶することも出来る。セルＩＤデータベースは、位置決定がＵＥに対して実行される時は常に更新されることが出来る。セルＩＤデータベースは、（例えば、ＵＥが最初に電源を入れられた時）ＵＥに対する初期位置推定値を得るために使用されることが出来る、或いは、衛星の探査範囲を限定するために使用されることが出来る。
【００４０】
あるシナリオでは、ＵＥ１２０のところに記憶されている所在地関連データの全て又は一部を消去することが望ましい。例えば、ＵＥの性能試験を実行するためには、該ＵＥにある所在地関連データの全て又は一定部分を消去すること、そして該ＵＥに新しい所在地関連データを獲得させること、が望ましい或いは必要なことがある。別の例として、例えば余りに遠い未来の時間の期間に対するアルマナックのような、悪いことが知られるある一定の所在地関連データをＵＥに消去させるためには、ある回復機構が必要とされることがある。
【００４１】
ある実施形態では、ネットワークは、ＵＥのところに記憶されている所在地関連データの全て又は一部を消去することをＵＥ指示するためにプレセッション命令を送ることが出来る。このプレセッション命令は、ＵＥを位置決定のための既知の状態に復帰させることが出来る。例えば、プレセッション命令は、（１）支援データの全て又はあるものを消去してＵＥにその支援データを更新させること、（２）ＵＥについての現在の位置推定値を消去してＵＥに新しい位置推定値を計算させること、或いは、（３）例えば、ＵＥが新しい都市に移動した場合、セルＩＤデータベースを消去してＵＥに対する古い位置履歴を除去すること、をＵＥに指示することが出来る。
【００４２】
別の実施形態では、ネットワークは、ＵＥに対する位置決定を実行する前に或いは実行と連係して一定の動作を実行することをＵＥに指示するためにプレセッション命令を送ることが出来る。例えば、該プレセッション命令は、（１）ＧＰＳ衛星に対する擬似距離測定を行うに際しＵＥのクロック推定値に時間オフセットを適用すること、（２）ＵＥに対する位置推定値を計算するに際しＵＥに対する初期位置推定値に位置オフセットを適用すること、をＵＥに命令することが出来る。ネットワークは、ＵＥに対する位置決定を実行する前に或いはその実行と連係して他の動作を実行することをＵＥに指示するために他のプレセッション命令を同様に送ることも出来る。
【００４３】
一般には、プレセッション命令は、様々なネットワーク構成要素（例えば、ネットワーク１００中のＬＣＳマネジャー１４０及び／又は位置決定サーバ１５０）によって、そして位置決定のためのコール・フローにおける様々な段階（例えば、図２のコール・フロー２００におけるステップＣ、Ｇ、又はＩ）で、送られることが出来る。プレセッション命令は、しかもネットワークによってＵＥに送られるメッセージの様々なフィールド中で送られることも出来る。ある実施形態では、プレセッション命令は、セッション識別子（sessionid）において選択的に（或いはオプションとして）送られることが出来る。セッション識別子（sessionid）は、例えば、サーバ−セッションＩＤ（Server-SessionID）フィールド及びＵＥ−セッションＩＤ（UE-Session ID）フィールドの様な様々なフィールドから構成される。サーバ−セッションＩＤフィールドは、ネットワーク１００によって割り当てられそして該ネットワーク中の全てのＬＣＳマネジャーと位置決定サーバの間で固有であるセッションＩＤの部分を含む。ＵＥ−セッションＩＤフィールドは、ＵＥ１２０によって割り当てられるセッションＩＤの部分を含む。
【００４４】
図２のネットワークにより開始されるコール・フロー２００に対して、ＬＣＳマネジャー１４０は、セッション識別子（sessionid）のサーバ−セッションＩＤフィールドを割り当てられた値に設定し、そしてＵＥ−セッションＩＤフィールドを選択された値に設定する。ＬＣＳマネジャー１４０は、図２のコール・フロー２００のステップＣにおいて、ＵＥ１２０に送られるＬＣＳＩＮＩＴメッセージ中のセッション識別子（sessionid）を含む。ＵＥ１２０は、ＬＣＳＩＮＩＴメッセージを受信するとＵＥセッションＩＤにある値を割り当てる。セッション識別子（sessionid）は、サーバ−セッションＩＤフィールドに対するネットワークにより割り当てられた値およびＵＥ−セッションＩＤフィールドに対してＵＥにより割り当てられた値によって形成される。これに続く全てのメッセージは、このセッション識別子（sessionid）を含むはずである。
【００４５】
ある実施形態では、ＬＣＳマネジャー１４０は、（もしあれば）ＵＥ１２０によって実行されるべき所望の動作を指示するために、ＵＥ−セッションＩＤフィールドを複数の可能な値の１つに設定する。表２は、具体的な実施形態に対する、様々な消去動作および対応する命令を列挙する。ＵＥ−セッションＩＤフィールドに対する値００００００００ｂは、送られるプレセッション命令がない標準モードを示す。ＵＥ−セッションＩＤフィールドに対する他の値のそれぞれは、ＵＥによって実行されるべき具体的な動作に対応する異なるプレセッション命令に対するものである。
【表２】
2011024240.tif 000004
【００４６】
表２に示される実施形態に対しては、ＵＥ−セッションＩＤフィールドは、８ビットを含み、そして標準モードに対しては全てゼロに設定される。ＵＥ−セッションＩＤフィールドは、異なるプレセッション命令に対しては異なる値に設定される。それぞれのプレセッション命令は、位置決定を実行することに先立つＵＥにある所在地関連のデータの全て又は一部の消去（又は除去）に対応する。表２に示される実施形態に対しては、ＵＥ−セッションＩＤフィールドの各ビットは、特定の型の所在地関連データに写像される。それぞれの型の所在地関連データは、関連するビットを‘１’に設定することによって消去されることが出来る。例えば、アルマナックとエフェメリスは、ＵＥ−セッションＩＤフィールドを０００００１１０ｂに設定することによって消去されることが出来る。この符号化方式は、ＵＥ−セッションＩＤフィールド中の各ビットを検査することによって（もしあれば）何れの型の所在地関連データを消去するかを、ＵＥが迅速に確認することを可能にする。
【００４７】
簡単のために、表２は所在地関連データを消去するためのプレセッション命令のみを示す。他の動作（例えば、位置決定を実行するに際しオフセットを適用すること）のための他のプレセッション命令も、同様に符号化されることが出来る。一般に、任意の符号化方式が、ネットワークによってサポートされるプレセッション命令の任意の集合に対し使用されることが出来る。
【００４８】
上に説明されたように、ネットワークは、セッション識別子（sessionid）のＵＥ−セッションＩＤフィールドにおいてプレセッション命令を送ることが出来る。一般には、ネットワークは、任意のメッセージの任意の指定されたフィールドにおいてプレセッション命令を送ることが出来る。
【００４９】
図３は、ネットワーク１００においてＵＥにより開始される位置決定のための具体例のコール・フロー３００を示す。ＷＡＰアプリケーションのために、ＵＥ１２０におけるＷＡＰブラウザは、ＬＣＳクライアント１３０にある所在地に敏感なコンテントに接続しようと試みる（ステップＡ）。ＬＣＳクライアント１３０は、次にＵＥ１２０にあるＷＡＰブラウザにＬＣＳトリガーを送る（ステップＢ）。ＵＥ１２０に存在するアプリケーション（例えば、ウェブ・ブラウザ）は、ローカルＡＰＩを呼び出し、そしてＵＥに対する位置決定を要求する（ステップＣ）。
【００５０】
もしＵＥ１２０がネットワークとの情報交換なしに位置決定をローカルに計算することが出来るならば、その場合、コール・フロー３００はステップＭに進み、そしてＡＰＩコールは直ちに戻される。その他の場合、もしＵＥ１２０が位置決定を計算するためにネットワークの支援を必要とするならば、その時にはＵＥは、ＳＬＲＥＱメッセージを送ることによってＬＣＳマネジャー１４０との位置探査セッションを開始する（ステップＤ）。コール・フロー３００中のステップＤからステップＬまでは、一般にコール・フロー２００のステップＤからステップＬに対応する。ステップＧにおいて、ＬＣＳマネジャー１４０は、ＳＬＲＥＳＰメッセージの中でプレセッション命令を送る。ステップＩにおいて、位置決定サーバ１５０も、同様にＲＲＬＰ測位要求メッセージの中でプレセッション命令を送る。もしプレセッション命令が受信されるならば、その時にはＵＥ１２０は、位置決定を実行することに先立ち或いはその実行と連係して、受信された命令によって指示された動作を実行する。位置決定を実行した後、ＵＥ  ＡＰＩは、該アプリケーションに位置推定値を返答する（ステップＭ）。ＷＡＰアプリケーションのために、ＵＥ１２０のところのＷＡＰブラウザはコンテントを再要求し、そして該要求中に位置推定値を含める（ステップＮ）。ＷＡＰアプリケーションのために、ＬＣＳクライアント１３０は、要求されたコンテントをダウンロードする（ステップＯ）。
【００５１】
図４は、制御面（control plane）を有するＵＭＴＳ又はＧＳＭネットワークにおいてネットワークにより開始される位置決定のための別の具体例のコール・フロー４００を示す。ＵＭＴＳ／ＧＳＭネットワークは、ネットワーク１００におけるＬＣＳクライアント１３０に類似するＬＣＳクライアント４３０、ＬＣＳマネジャー１４０の機能を実行するＧＭＬＣ４４０、位置決定サーバ１５０の機能を実行するサービング無線ネットワーク制御器（Serving Radio Network Controller）（ＳＲＮＣ）４５０、ＵＥ１２０に類似するターゲットＵＥ４２０、ホーム・ロケーション・レジスター（home location register）（ＨＬＲ）これはＨＬＲによりカバーされる無線ネットワークに既に登録されたＵＥ（ＵＥ４２０を含む）に関する登録情報を記憶する、及び交信範囲内のＵＥに対する交換機能（例えば、回線交換メッセージ及びデータ通信のルーティング）を実行する第３世代在圏移動通信交換局（third generation visitor mobile services switching centre）（３Ｇ−ＶＭＳＣ）４７０、を含む。
【００５２】
コール・フロー４００に関して、ＬＣＳクライアント４３０は、ＧＭＬＣ４４０にターゲットＵＥ４２０の現在の位置を要求する。ＧＭＬＣ４４０は、ＬＣＳクライアント４３０の識別番号を検証し、ＬＣＳクライアントを認証し、そして該ＬＣＳクライアントが要求されたＬＣＳサービスに対して認可されているかどうかを決定する。もしＬＣＳクライアント４３０が認可されているならば、その時にはＧＭＬＣ４４０は、ターゲットＵＥ４２０の識別子を抽出し、そしてＵＥ４２０の加入者サブスクリプション・データ或いはＬＣＳクライアント４３０によって供給されるデータの何れかから、ＬＣＳのＱｏＳを決定する。ＵＥ識別子は、ダイアル可能な番号であるモバイル加入者（Mobile Subscriber）ＩＳＤＮ（ＭＳＩＳＤＮ）、或いは、ダイアル不可能な番号である国際モバイル加入者識別番号（International Mobile Subscriber Identity）（ＩＭＳＩ）、である。ＧＭＬＣ４４０は、次に、ＵＥ４２０の識別子を含むＬＣＳメッセージに対するモバイル・アプリケーション・パート（Mobile Application Part）（ＭＡＰ）送信ルーティング情報（Send Routing Info）をＨＬＲ４６０に送る（ステップ２）。
【００５３】
ＨＬＲ４６０は、ＧＭＬＣ４４０がＵＥ４２０に対する所在地情報を要求することを認可されることを検証する。ＨＬ４６０は、次に３Ｇ−ＶＭＳＣ４７０のアドレス及びＵＥ４２０の識別子を含むＬＣＳ  Ａｃｋメッセージに対するＭＡＰ送信ルーティング情報をＧＭＬＣ４４０に返信する（ステップ３）。もしＧＭＬＣ４４０が既に３Ｇ−ＶＭＳＣアドレスとＵＥ識別子を共に（例えば、過去の位置探査要求から）知っているならば、その場合ステップ２及び３は飛ばされることが出来る。
【００５４】
ＧＭＬＣ４４０は、次にＨＬＲ４６０によって提供されるアドレスを用いてＭＡＰ加入者所在地情報提供（MAP Provide Subscriber Location）メッセージを３Ｇ−ＶＭＳＣ４７０に送る（ステップ４）。このメッセージは、所在地要求された情報の型（例えば、現在位置）、ＵＥ識別子、ＬＣＳ  ＱｏＳ（例えば、要求される精度と応答時間）、ＬＣＳクライアント４３０が優先（override）能力を有するかどうかの表示、及び恐らくは他の情報、を含む。
【００５５】
３Ｇ−ＶＭＳＣ４７０は、ＧＭＬＣ４４０を認証することが出来て、そして、位置探査要求が許可されていることを検証することが出来る（同様にステップ４）。もし位置探査要求が許可されるならば、その時には、３Ｇ−ＶＭＳＣ４７０は、ＵＥ４２０のページング、認証および暗号化を実行するために無線ネットワークを呼び出すことが出来る（ステップ５）。ＵＥ４２０は、その能力、例えば、ＵＥによってサポートされるＵＥベースの測位モード及び／又はＵＥに支援される測位モード、を提供できる（同様にステップ５）。
【００５６】
３Ｇ−ＶＭＳＣ４７０は、ＬＣＳ位置探査通知呼出（Location Notification Invoke）メッセージをＵＥ４２０に送る（ステップ６）。このメッセージは、位置探査要求の型（例えば、現在位置）、ＬＣＳクライアント４３０の識別番号、及び、個人情報検証が要求されるかどうか、を指示する（ステップ６）。このメッセージは、しかも位置決定に関連する特別な動作がＵＥによって実行されるべきかどうかを指示するプレセッション命令を含むことも出来る。ＵＥ４２０は、位置探査要求を無線利用者に通知する。もし個人情報検証が要求されるならば、その時には、ＵＥ４２０は無線利用者に位置探査要求に関して尋ね、そして該利用者が承諾を与えるか拒絶するかを待つ。ＵＥ４２０は、次にＬＣＳ位置探査通知返信結果（Location Notification Return Result）メッセージを３Ｇ−ＶＭＳＣ４７０に送る（ステップ７）。このメッセージは、許可が承諾されたか拒絶されたかどうかを示し、そして、オプションではＵＥ４２０に対する位置推定値を含む。もし許可が承諾されるならば、その時には、ＵＥ４２０は（もしあれば）ネットワークから受信されたプレセッション命令によって指示される動作を実行する。
【００５７】
３Ｇ−ＶＭＳＣ４７０は、無線接続ネットワーク・アプリケーション・パート（Radio Access Network Application Part）（ＲＡＮＡＰ）報告制御（Reporting Control）メッセージをＳＲＮＣ４５０に送る（ステップ８）。このメッセージは、要求される所在地情報の型、ＵＥ能力、及び、ＬＣＳ  ＱｏＳを含む。ＳＲＮＣ４５０は、所在地要求、要求される精度、及びＵＥ能力に基づいて使用する適切な測位モードを選択する。ＳＲＮＣ４５０は、次に選択された測位モードに対する適切なメッセージ・シーケンスを開始する（ステップ９）。例えば、該メッセージ・シーケンスは、Ａ−ＧＰＳ位置決定手順に関する図２におけるステップＨからステップＫまでを含むことが出来る。該シーケンス中のメッセージは、位置決定に関する所望の動作を実行することをＵＥ４２０に指示するプレセッション命令（例えば、ステップ６でそれが送られなかった場合）を含むことが出来る。ＵＥ４２０は、要求される測定を実行し、そしてＵＥによって求められた測定値または該測定値に基づいてＵＥによって計算された位置推定値の何れかを報告する。ＳＲＮＣ４５０は、ＵＥ４２０からの報告を受信する、そしてＵＥに支援される測位モードに対しては、受信された測定値に基づいてＵＥに対する位置推定値を計算する。ＳＲＮＣ４５０は、次にＵＥ４２０に対する位置推定値を含むＲＡＮＡＰ所在地報告（Location Report）メッセージを３Ｇ−ＶＭＳＣ４７０に送る（ステップ１０）。３Ｇ−ＶＭＳＣ４７０は、次にＵＥに対する位置推定値および恐らくその他の直接関係する情報を含むＭＡＰ加入者所在地提供受領通知（Provide Subscriber Location Ack）メッセージをＧＭＬＣ４４０に送る（ステップ１１）。ＧＭＬＣ４４０は、次にＵＥ４２０に対する位置推定値を含むＬＣＳサービス応答（Service Response）メッセージをＬＣＳクライアント４３０に送る（ステップ１２）。
【００５８】
コール・フロー４００は、文書３ＧＰＰ  ＴＳ  ２３．１７１及び３ＧＰＰ  ＴＳ  ２３．２７１に詳細に説明されており、両文書ともに公に入手可能である。
【００５９】
明確を期するために、具体的なステップとメッセージを用いた具体的なコール・フローが、上述の図２から図４において説明されてきた。一般には、ネットワークにより開始される位置決定およびＵＥにより開始される位置決定のためのコール・フローは、任意の数のステップを含むことが出来て、それ等は図２から図４において示されたステップとは異なることがあり得る。更に、コール・フローは、任意のメッセージを使用することが出来て、それ等は図２から図４において示されたメッセージとは異なることがあり得る。ネットワークは、与えられたコール・フロー中の任意のメッセージ及び任意のステップでプレセッション命令を発することが出来る。
【００６０】
図５は、図１のネットワーク１００における様々な構成要素のブロック図を示す。ＵＥ１２０は、セルラ電話、利用者端末、無線モデムを備えたコンピュータ、スタンド・アローン位置決定ユニット、或いは何か他の装置であることが出来る。基地局１１２は、無線ネットワーク１１０に対し無線通信を提供する。簡単を期するために、図５では唯１つのネットワーク構成要素１４２が示される。ネットワーク構成要素１４２は、図１に示される任意のネットワーク構成要素（例えば、ＬＣＳクライアント１３０、ＬＣＳマネジャー１４０、位置決定サーバ１５０、或いはＰＰＧ１６０）であり得る。
【００６１】
順方向リンク上において、基地局１１２はその交信範囲内のＵＥにデータ、信号、及び、パイロットを送信する。これ等の様々な型のデータは、アンテナ５１８を介して伝送される順方向リンク変調信号を生成するために、変調器／送信機（modulator/transmitter）（Ｍｏｄ／ＴＭＴＲ）５１６によって処理される（例えば、符号化され、変調され、フィルタされ、増幅され、直交変調され、そしてアップコンバートされる）。ＵＥ１２０では、アンテナ５２２は、基地局１１２及び可能性として他の基地局からの順方向リンクの変調された信号を受信する、そして受信機入力信号を受信機／復調器（receiver/demodulator）（ＲＣＶＲ／Ｄｅｍｏｄ）５２４に与える。受信機入力信号は、基地局および恐らくは衛星に関する受信信号を含むことが出来る。ＲＣＶＲ／Ｄｅｍｏｄ５２４は、（複数の）送信機によって実行された処理に相補的な方法で受信機入力信号を処理し、そして位置決定のために使用されることが出来る様々な型の情報を提供する。例えば、ＲＣＶＲ／Ｄｅｍｏｄ５２４は、受信信号の到着時刻（これは位置決定のために使用されることができる）、上に説明されたコール・フローのために使用される復号されたメッセージ、衛星からの支援データ、等々を提供することが出来る。プロセッサ５３０は、ＵＥ１２０のための処理を実行する。記憶ユニット５３２は、プロセッサ５３０のためのプログラム・コード及びデータを記憶する。
【００６２】
逆方向リンク上において、ＵＥ１２０は、基地局１１２にデータ、信号、及び、パイロットを送信する。これ等の様々な型のデータは、アンテナ５２２を介して伝送される逆方向リンク変調信号を生成するために変調器／送信機（Ｍｏｄ／ＴＭＴＲ）５３４によって処理される。基地局１１２では、アンテナ５１８は、ＵＥ１２０からの逆方向リンクの変調された信号を受信する、そして受信機入力信号を受信機／復調器（ＲＣＶＲ／Ｄｅｍｏｄ）５２０に供給する。ＲＣＶＲ／Ｄｅｍｏｄ５２０は、ＵＥによって実行された処理に相補的な方法で受信機入力信号を処理し、そして様々な型の情報をプロセッサ５１０に提供する。プロセッサ５１０は、基地局１１２のための処理を実行する。記憶ユニット５１２は、プロセッサ５１０のためのプログラム・コード及びデータを記憶する。通信（Communication）（Ｃｏｍｍ）ユニット５１４は、基地局１１２が他のネットワーク構成要素とデータを交換することを可能にする。
【００６３】
ネットワーク構成要素１４２の内部において、通信ユニット５４４は、ネットワーク構成要素１４２が他のネットワーク構成要素と通信することを可能にする。プロセッサ５４０は、ネットワーク構成要素１４２のための処理を実行する。記憶ユニット５４２は、プロセッサ５４０のためのプログラム・コード及びデータを記憶する。データベース５４６は、ネットワーク構成要素１４２のための直接関連情報（例えば、加入者情報、所在地情報、ＧＰＳ支援データ、等々）を記憶する。
【００６４】
本明細書中で説明される方法および装置は、様々な手段により与えられることが出来る。例えば、該方法および装置は、ハードウェア、ソフトウェア、又はそれ等の組合せにおいて与えられることが出来る。ハードウェア実装に関しては、上で説明された処理を実行するために使用されるユニットは、１又は複数の特定用途向け集積回路（application specific integrated circuit）（ＡＳＩＣｓ）、ディジタル信号プロセッサ（digital signal processors）（ＤＳＰｓ）、ディジタル信号処理デバイス（digital signal processing devices）（ＤＳＰＤｓ）、プログラマブル・ロジック・デバイス（programmable logic devices）（ＰＬＤｓ）、フィールド・プログラマブル・ゲート・アレイ（field programmable gate arrays）（ＦＰＧＡｓ）、プロセッサ、制御器、マイクロ制御器、マイクロプロセッサ、本明細書中で説明された機能を実行するために設計された他の電子ユニット、又はそれ等の組合せ、の内部に実装されることが可能である。
【００６５】
ソフトウェアの実行に関しては、本方法は、本明細書中で説明された諸機能を実行するモジュール（例えば、処理手順、関数、等々）を用いて実行されることが出来る。ソフトウェア・コードは、メモリ・ユニット（例えば、図５におけるメモリ・ユニット５３２又は５４２）の中に記憶されることができ、そして、プロセッサ（例えば、プロセッサ５３０及び５４０）により実行されることが出来る。メモリ・ユニットは、プロセッサの内部又はプロセッサの外部に実装されることが出来る。
【００６６】
開示された実施形態の前述の説明は、当業者の誰もが本発明を作ること又は利用することを可能にするために提供される。これ等の実施形態への様々な変更は、当業者には容易に明らかであり、そして本明細書中で明確にされた包括的な原理は、本発明の精神と範囲を逸脱することなく他の実施形態に適用されることが可能である。かくして、本発明は、本明細書中で示される実施形態に限定されることを意図されるのではなく、本明細書中に開示された原理及び新規性と首尾一貫する最も広い範囲を認容されるべきである。
【図１】
2011024240.tif 000005
【図２】
2011024240.tif 000006
【図３】
2011024240.tif 000007
【図４】
2011024240.tif 000008
【図５】
2011024240.tif 000009
【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
利用者装置（ＵＥ）の試験を実行するための方法であって、
前記ＵＥにおいて、選択された所在地関連データを記憶するメモリの少なくとも一部を既知の状態にリセットするために前記メモリの少なくとも一部から消去されるべき前記選択された所在地関連データを指示する、試験に関する命令を受信することと；
前記命令を受信することに応答して、前記選択された所在地関連データを前記メモリの一部から削除することによって、前記ＵＥで前記選択された所在地関連データを消去することと；
を備える方法。
【請求項２】
前記選択された所在地関連データを前記ＵＥで消去することは、前記ＵＥで少なくとも１つのタイプの全地球測位衛星（ＧＰＳ）支援データを消去することを備える、請求項１に記載の方法。
【請求項３】
消去されるべき前記ＧＰＳ支援データは、時間情報、アルマナック、エフェメリス、電離層情報、ＵＴＣ時間オフセット、位置推定値及びセルＩＤデータベースのうちの少なくとも１つを含む、請求項２に記載の方法。
【請求項４】
前記選択された所在地関連データを前記ＵＥで消去することは、前記ＵＥで全ての所在地関連データを消去することを備える、請求項１に記載の方法。
【請求項５】
前記選択された所在地関連データを前記ＵＥで消去することは、前記ＵＥで使用可能な位置推定値を消去することを備える、請求項１に記載の方法。
【請求項６】
前記選択された所在地関連データを前記ＵＥで消去することは、位置決定を実行する前に、前記ＵＥでセルＩＤデータベースを消去することを備える、請求項１に記載の方法。
【請求項７】
明白な命令を受信しない場合は、前記所在地関連データを保持することをさらに備えた、
請求項１に記載の方法。
【請求項８】
受信された前記試験に関する命令によって消去された前記所在地関連データを受信することをさらに備えた、請求項１に記載の方法。
【請求項９】
利用者装置（ＵＥ）の試験を実行するための装置であって、
選択された所在地関連データを記憶する前記ＵＥ内のメモリの少なくとも一部を既知の状態にリセットするために前記メモリの少なくとも一部から消去されるべき前記選択された所在地関連データを指示する、試験に関する命令を受信する受信機と；
受信された前記試験に関する命令に応答して、前記選択された所在地関連データを前記メモリの一部から削除することによって、前記ＵＥの位置決定を実行する前に前記ＵＥで前記選択された所在地関連データを消去するように動作するプロセッサと；
を備える装置。
【請求項１０】
前記プロセッサは、前記受信された前記試験に関する命令に関連付けられた少なくとも１つのタイプの所在地関連データを識別し、かつ、前記受信された試験に関する命令に関連付けられた前記少なくとも１つのタイプの所在地関連データを前記ＵＥで消去するように動作し、前記受信された試験に関する命令は複数の消去命令の中から選択され、各消去命令は前記ＵＥで少なくとも１つのタイプの所在地関連データの異なるセットに対応する、請求項９に記載の装置。
【請求項１１】
前記プロセッサは、前記ＵＥで少なくとも１つのタイプの全地球測位衛星（ＧＰＳ）支援データを消去するように動作する、請求項９に記載の装置。
【請求項１２】
消去されるべき前記ＧＰＳ支援データは、時間情報、アルマナック、エフェメリス、電離層情報、ＵＴＣ時間オフセット、位置推定値及びセルＩＤデータベースのうちの少なくとも１つを含む、請求項１１に記載の装置。
【請求項１３】
利用者装置（ＵＥ）の試験を実行するための装置であって、
選択された所在地関連データを記憶する前記ＵＥ内のメモリの少なくとも一部を既知の状態にリセットするために前記メモリの少なくとも一部から消去されるべき前記選択された所在地関連データを指示する、試験に関する命令を受信する手段と；
前記試験に関する命令に応答して、前記選択された所在地関連データを前記メモリの一部から削除することによって、前記ＵＥの位置決定を実行する前に前記ＵＥで前記選択された所在地関連データを消去する手段と；
を備える装置。
【請求項１４】
前記選択された所在地関連データを前記ＵＥで消去する手段は、
前記受信された試験に関する命令に関連付けられた少なくとも１つのタイプの所在地関連データを識別する手段と、なお、前記受信された試験に関する命令は複数の消去命令の中から選択され、各消去命令は前記ＵＥで少なくとも１つのタイプの所在地関連データの異なるセットに対応する；
前記受信された試験に関する命令に関連付けられた前記少なくとも１つのタイプの所在地関連データを前記ＵＥで消去する手段と；
を備える、請求項１３に記載の装置。
【請求項１５】
前記選択された所在地関連データを前記ＵＥで消去する手段は、位置決定を実行する前に前記ＵＥで少なくとも１つのタイプの全地球測位衛星（ＧＰＳ）支援データを消去する手段を備える、請求項１３に記載の装置。
【請求項１６】
消去されるべき前記ＧＰＳ支援データは、時間情報、アルマナック、エフェメリス、電離層情報、ＵＴＣ時間オフセット、位置推定値及びセルＩＤデータベースのうちの少なくとも１つを含む、請求項１５に記載の装置。
【請求項１７】
命令が格納された記憶媒体を備える物品であって、
前記命令がプロセッサによって実行されたとき前記命令は利用者装置（ＵＥ）の試験を可能とし、前記命令は、
選択された所在地関連データを記憶する前記ＵＥ内のメモリの少なくとも一部を既知の状態にリセットするために前記メモリの少なくとも一部から消去されるべき前記選択された所在地関連データを指示する、試験に関する命令を受信し、それに応答して、前記選択された所在地関連データを前記メモリの一部から削除することによって、前記ＵＥの位置決定を実行する前に前記ＵＥで前記選択された所在地関連データを消去するためのコードを備える、
物品。
【請求項１８】
前記命令は、
前記受信された試験に関する命令に関連付けられた少なくとも１つのタイプの所在地関連データを識別することによって、前記ＵＥで前記選択された所在地関連データを消去するためのコードと、なお、前記受信された試験に関する命令は複数の消去命令の中から選択され、各消去命令は前記ＵＥで少なくとも１つのタイプの所在地関連データの異なるセットに対応する；
前記受信された試験に関する命令に関連付けられた前記少なくとも１つのタイプの所在地関連データを前記ＵＥで消去するためのコードと；
をさらに備える、請求項１７に記載の物品。
【請求項１９】
前記命令は、前記ＵＥで少なくとも１つのタイプの全地球測位衛星（ＧＰＳ）支援データを消去することによって前記ＵＥで前記選択された所在地関連データを消去するためのコードをさらに備える、請求項１７に記載の物品。
【請求項２０】
消去されるべき前記ＧＰＳ支援データは、時間情報、アルマナック、エフェメリス、電離層情報、ＵＴＣ時間オフセット、位置推定値及びセルＩＤデータベースのうちの少なくとも１つを含む、請求項１９に記載の物品。
【請求項２１】
前記命令は、前記ＵＥで全ての所在地関連データを消去することによって前記ＵＥで前記選択された所在地関連データを消去するためのコードをさらに備える、請求項１７に記載の物品。
【請求項２２】
前記命令は、前記ＵＥで使用可能な位置推定値を消去することによって前記ＵＥで前記選択された所在地関連データを消去するためのコードをさらに備える、請求項１７に記載の物品。
【請求項２３】
前記命令は、前記ＵＥでセルＩＤデータベースを消去することによって前記ＵＥで前記選択された所在地関連データを消去するためのコードをさらに備える、請求項１７に記載の物品。
【請求項２４】
前記命令は、明白な命令を受信しない場合は前記ＵＥで前記所在地関連データを保持するためのコードをさらに備える、請求項１７に記載の物品。
【請求項２５】
前記命令は、受信された前記試験に関する命令によって前記ＵＥで消去された前記所在地関連データを受信するためのコードをさらに備える、請求項１７に記載の物品。
【手続補正２】
【補正対象書類名】明細書
【補正対象項目名】００６６
【補正方法】変更
【補正の内容】
【００６６】
開示された実施形態の前述の説明は、当業者の誰もが本発明を作ること又は利用することを可能にするために提供される。これ等の実施形態への様々な変更は、当業者には容易に明らかであり、そして本明細書中で明確にされた包括的な原理は、本発明の精神と範囲を逸脱することなく他の実施形態に適用されることが可能である。かくして、本発明は、本明細書中で示される実施形態に限定されることを意図されるのではなく、本明細書中に開示された原理及び新規性と首尾一貫する最も広い範囲を認容されるべきである。
以下に、本願発明の当初の特許請求の範囲に記載された発明を付記する。
［１］ネットワークにおいて位置決定を実行する方法であって、利用者装置（ＵＥ）の位置決定を実行するための指示を前記ネットワークから受信することと；前記位置決定を実行するための受領通知を前記ネットワークに送ることと；もし前記ネットワークから受信された命令によって指示されるならば、前記ＵＥにある所在地関連データの全て或いはその一部を消去することと；及び前記ＵＥの位置決定を実行することと；を具備する方法。
［２］前記ＵＥにある前記所在地関連データの全て或いはその一部を消去することは、前記ネットワークから受信される前記命令と関連付けられる少なくとも１つのタイプの所在地関連データを識別することと、なお、前記受信される命令は複数の消去命令の中から選択され、それぞれの消去命令は前記ＵＥにある少なくとも１つのタイプの所在地関連データの異なる集合に対応する；及び前記受信された命令と関連付けられる前記ＵＥにある少なくとも１つのタイプの所在地関連データを消去することと；を具備する［１］の方法。
［３］前記ＵＥにある前記所在地関連データの全て或いはその一部を消去することは、前記位置決定を実行することに先立ち前記ＵＥにある少なくとも１つのタイプの全地球測位衛星（ＧＰＳ）支援データを消去することを具備する［１］の方法。
［４］前記ＵＥにある前記所在地関連データの全て或いはその一部を消去することは、前記位置決定を実行することに先立ち前記ＵＥにある全ての所在地関連データを消去することを具備する［１］の方法。
［５］前記ＵＥにある前記所在地関連データの全て或いはその一部を消去することは、位置決定を実行することに先立ち前記ＵＥにおいて利用可能な位置推定値を消去することを具備する［１］の方法。
［６］前記ＵＥにある所在地関連データの全て或いはその一部を消去することは、前記位置決定を実行することに先立ち前記ＵＥにあるセルＩＤデータベースを消去することを具備する［１］の方法。
［７］もし消去命令が前記ネットワークから受信されないならば、前記ＵＥにある前記所在地関連データを保持することを更に具備する［１］の方法。
［８］前記ネットワークから受信された前記命令によって前記ＵＥにおいて既に消去された前記所在地関連データを前記ネットワークから受信することを更に具備する［１］の方法。
［９］利用者装置（ＵＥ）の位置決定を実行するための指示をネットワークから受信するために機能する受信機と；前記位置決定を実行するための受領通知を前記ネットワークに送るために機能する送信機と；及びもし前記ネットワークから受信される命令によって指示されるならば、前記ＵＥにある所在地関連データの全て或いはその一部を消去するために機能し、かつ、前記ＵＥの前記位置決定を実行するために機能するプロセッサと；を具備する装置。
［１０］前記プロセッサは、前記ネットワークから受信される前記命令と関連付けられる少なくとも１つのタイプの所在地関連データを識別するために機能し、かつ、前記受信される命令と関連付けられる前記ＵＥにある前記少なくとも１つのタイプの所在地関連データを消去するために機能し、前記受信される命令は複数の消去命令の中から選択される、それぞれの消去命令は前記ＵＥにある少なくとも１つのタイプの所在地関連データの異なる集合に対応する［９］の装置。
［１１］前記プロセッサは、もし前記ネットワークから受信される命令によって指示されるならば、前記位置決定を実行することに先立ち前記ＵＥにある少なくとも１つのタイプの全地球測位衛星（ＧＰＳ）支援データを消去するために機能する、［９］の装置。
［１２］利用者装置（ＵＥ）の位置決定を実行するための指示をネットワークから受信するための手段と；前記位置決定を実行するための受領通知を前記ネットワークに送るための手段と；もし前記ネットワークから受信される命令によって指示されるならば、前記ＵＥにある所在地関連データの全て或いはその一部を消去するための手段と；及び前記ＵＥの位置決定を実行するための手段と；を具備する装置。
［１３］前記ＵＥにある所在地関連データの全て或いはその一部を消去するための手段は、前記ネットワークから受信される前記命令と関連付けられる少なくとも１つのタイプの所在地関連データを識別するための手段と、なお、前記受信される命令は複数の消去命令の中から選択され、それぞれの消去命令は前記ＵＥにある少なくとも１つのタイプの所在地関連データの異なる集合に対応する；及び前記受信される命令と関連付けられる前記ＵＥにある前記少なくとも１つのタイプの所在地関連データを消去するための手段と；
を具備する［１２］の装置。
［１４］前記ＵＥにある所在地関連データの全て或いはその一部を消去するための手段は、前記位置決定を実行することに先立ち前記ＵＥにある少なくとも１つのタイプの全地球測位衛星（ＧＰＳ）支援データを消去するための手段を具備する［１２］の装置。
［１５］ネットワークにおいて位置決定を実行する方法であって、利用者装置（ＵＥ）の位置決定を実行するための指示を前記ネットワークから受信することと；前記位置決定を実行するための受領通知を前記ネットワークに送ることと；位置決定に関連する動作のための命令が前記ネットワークから受信されるかどうかを決定すること；もし前記命令が前記ネットワークから受信されるならば、前記位置決定を実行することに先立ち、或いはその実行と連係して位置決定に関連する動作を実行すること；及び前記ＵＥの位置決定を実行すること；を具備する方法。
［１６］前記位置決定に関連する動作を実行することは、前記位置決定を実行することに先立ち前記ＵＥにある所在地関連データの全て或いはその一部を消去することを具備する［１５］の方法。
［１７］前記位置決定に関連する動作を実行することは、前記位置決定を実行するに際して時間オフセット、位置オフセット、或いは、時間オフセットと位置オフセットを共に適用することを具備する［１５］の方法。
［１８］前記位置決定に関連する動作を実行することは、前記ＵＥにおいて利用可能な位置推定値を前記ネットワークに送ることを具備する［１５］の方法。
［１９］ネットワークにおいて位置決定を実行する方法であって、利用者装置（ＵＥ）の位置決定を実行するための指示を前記ＵＥに送ることと；前記ＵＥの位置決定を実行することに先立ち前記ＵＥにある所在地関連データの全て或いはその一部を消去する命令を前記ＵＥに選択的に送ることと；前記位置決定を実行するための受領通知を前記ＵＥから受信することと；及びもし前記命令が前記ＵＥに送られるならば、その全て或いはその一部が消去されようとしている前記ＵＥにある所在地関連データを有する前記ＵＥの位置決定を実行することと；を具備する方法。
［２０］前記ＵＥにある所在地関連データの全て或いはその一部を消去する命令を前記ＵＥに選択的に送ることは、複数の消去命令の中から１つの消去命令を選択することと、なお、それぞれの消去命令は前記位置決定を実行することに先立ち前記ＵＥにおいて消去されるべき少なくとも１つのタイプの所在地関連データの異なる集合に対応する；及び前記選択された消去命令を前記ＵＥに送ることと；を具備する［１９］の方法。
［２１］前記選択される消去命令は、前記位置決定を実行することに先立ち前記ＵＥにある少なくとも１つのタイプの全地球測位衛星（ＧＰＳ）支援データを消去することを前記ＵＥに指示する［２０］の方法。
［２２］前記選択される消去命令は、前記ＵＥにおいて利用可能な位置推定値を消去することを前記ＵＥに指示する［２０］の方法。
［２３］前記選択される消去命令は前記ＵＥにある全ての所在地関連データを消去することを前記ＵＥに指示する［２０］の方法。
［２４］前記ＵＥの位置決定を実行することは、前記ＵＥと前記ＵＥの位置決定を支援するために指定されたネットワーク構成要素との間のセッションを開始することと、なお、前記位置決定は前記ネットワーク構成要素と前記ＵＥによって実行される；及び前記ＵＥの位置決定を前記ネットワーク構成要素から受信することと；を具備する［１９］の方法。
［２５］前記命令は、前記位置決定のための前記ネットワークと前記ＵＥとの間の通信のために使用されるセッション識別子の中で選択的に送られる［１９］の方法。
［２６］利用者装置（ＵＥ）の位置決定を実行するための指示を前記ＵＥに送るために機能し、かつ、前記ＵＥの位置決定を実行することに先立ち前記ＵＥにある所在地関連データの全て或いはその一部を消去する命令を前記ＵＥに選択的に送るために機能する送信機と；前記位置決定を実行するための受領通知を前記ＵＥから受信するために機能する受信機と；及びもし前記命令が前記ＵＥに送られるならば、その全て或いはその一部が消去されようとしている前記ＵＥにある所在地関連データを有する前記ＵＥの位置決定を実行するために機能するプロセッサと；を具備する装置。
［２７］前記プロセッサは、複数の消去命令の中から１つの消去命令を選択するために機能し、かつ、前記選択された消去命令を前記ＵＥに送ることを前記送信機に指示するために機能し、前記複数の消去命令のそれぞれは前記位置決定を実行することに先立ち前記ＵＥにおいて消去されるべき少なくとも１つのタイプの所在地関連データの異なる集合に対応する［２６］の装置。
［２８］利用者装置（ＵＥ）の位置決定を実行するための指示を前記ＵＥに送るための手段と；前記ＵＥの位置決定を実行することに先立ち前記ＵＥにある所在地関連データの全て或いはその一部を消去する命令を前記ＵＥに選択的に送るための手段と；前記位置決定を実行するための受領通知を前記ＵＥから受信するための手段と；及びもし前記命令が前記ＵＥに送られるならば、その全て或いはその一部が消去されようとしている前記ＵＥにある所在地関連データを有する前記ＵＥの位置決定を実行するための手段と；を具備する装置。
［２９］前記ＵＥにある所在地関連データの全て或いはその一部を消去する命令を前記ＵＥに選択的に送るための手段は、複数の消去命令の中から１つの消去命令を選択するための手段と、なお、それぞれの消去命令は前記位置決定を実行することに先立ち前記ＵＥにおいて消去されるべき少なくとも１つのタイプの所在地関連データの異なる集合に対応する；及び前記選択された消去命令を前記ＵＥに送るための手段と；
を具備する［２８］の装置。
［３０］ネットワークにおける位置決定を実行する方法であって、位置決定に関連する動作のための命令を選択することと、なお、前記動作は前記位置決定を実行することに先立ち或いはその実行と連係して利用者装置（ＵＥ）によって実行される；及び前記選択された命令および前記ＵＥに対する位置決定を実行するための指示を前記ＵＥに送ることと；を具備する方法。
［３１］前記命令を選択することは、複数の消去命令の中から１つの消去命令を選択すること、なお、それぞれの消去命令は前記位置決定を実行することに先立ち前記ＵＥによって消去されるべき少なくとも１つのタイプの所在地関連データの異なる集合に対応する、を具備する［３０］の方法。
［３２］前記命令を選択することは、複数の動作命令の中から１つの動作命令を選択すること、なお、それぞれの動作命令は前記位置決定を実行することに先立ち或いはその実行と連係して前記ＵＥによって実行されるべき異なる動作に対応する、を具備する、［３０］の方法。
【外国語明細書】
2011024240000001.pdf